(57)【特許請求の範囲】
【請求項１】
上方が開口した筒口を有するボトル本体と、
該ボトル本体の内部に収容される消毒液と、
前記ボトル本体の内面に沿って設けられており、前記消毒液を吸収する消毒液吸収体と、
前記筒口の内側に設けられており、消毒前後の呼気が通過する中空の複数のチューブからなる呼気整流体と、
該呼気整流体のいずれかのチューブを貫通し、呼気を前記ボトル本体に送り込む呼気導入チューブと、
該呼気導入チューブが貫通するとともに、前記ボトル本体の筒口を塞ぐ微細孔を有するスポンジ体と、
を備えることを特徴とする呼気浄化器。
【請求項２】
前記消毒液吸収体が、
前記ボトル本体の内面に沿って広がる可撓性の芯材と、
該芯材を包み、前記消毒液を吸収する布地と、
からなることを特徴とする請求項１記載の呼気浄化器。
【請求項３】
前記呼気整流体の上端が、前記ボトル本体の筒口の上端部よりも低い位置となるように、前記呼気整流体が配置されていることを特徴とする請求項１又は２に記載の呼気浄化器。
【請求項４】
前記呼気整流体が、
中央のチューブの周囲に、複数のチューブを配置した構造であって、
前記中央のチューブに、前記呼気導入チューブを貫通させることを特徴とする請求項１〜３のいずれか一項に記載の呼気浄化器。
【請求項５】
前記ボトル本体の筒口に着脱可能に取り付けられるキャップ、
を備えたことを特徴とする請求項１〜４のいずれか一項に記載の呼気浄化器。
【発明の詳細な説明】
【技術分野】
【０００１】
本発明は、吐く息（呼気）を消毒するための呼気浄化器に関する。
【背景技術】
【０００２】
屋外に持ち出して使用できる携帯用空気浄化装置として、例えば、下記特許文献１に記載の技術がある。当該特許文献１によれば、本体内部にイオン発生素子を備え、正イオンと負イオンを空気中に放出し、空気中に浮遊する細菌を除去することが開示されている。そして、この携帯型空気浄化装置を、例えば、マスク型に加工することにより、本体を顔に装着して、マスクとして使用することが開示されている。
【先行技術文献】
【特許文献】
【０００３】
【特許文献１】特開２００３−３４３８８７号公報
【発明の概要】
【発明が解決しようとする課題】
【０００４】
人間の呼吸を通して吸入される空気中には、ウィルス、カビ菌のアレルゲン物質に代表される多くの細菌や微生物が存在している。このような汚れた空気を吸い込むと、例えば、新型コロナウイルス感染症やインフルエンザなどの種々の病気を誘発する。上述した特許文献１に記載の技術は、マスク型に加工して装着することにより、吸入する空気を殺菌して、細菌が原因の感染症や病気を予防し、吐き出した息に含まれる臭い成分を分解、除去することが開示されている。しかしながら、特許文献１に記載の技術では、携帯型とはいえ、電池やバッテリーが必要となり、簡単な構成で安価に製作することができない。
【０００５】
本発明は、以上のような点に着目したもので、簡単な構成で、呼気を浄化（殺菌、滅菌、除菌等）してから外部に放出することができる安価な呼気浄化器を提供することを、その目的とする。
【課題を解決するための手段】
【０００６】
本発明の呼気浄化器は、上方が開口した筒口を有するボトル本体と、該ボトル本体の内部に収容される消毒液と、前記ボトル本体の内面に沿って設けられており、前記消毒液を吸収する消毒液吸収体と、前記筒口の内側に設けられており、消毒前後の呼気が通過する中空の複数のチューブからなる呼気整流体と、該呼気整流体のいずれかのチューブを貫通し、呼気をボトル本体に送り込む呼気導入チューブと、該呼気導入チューブが貫通するとともに、前記ボトル本体の筒口を塞ぐ微細孔を有するスポンジ体と、を備えることを特徴とする。
【０００７】
主要な形態の一つは、前記消毒液吸収体が、前記ボトル本体の内面に沿って広がる可撓性の芯材と、該芯材を包み、前記消毒液を吸収する布地と、からなることを特徴とする。
【０００８】
他の形態の一つは、前記呼気整流体の上端が、前記ボトル本体の筒口の上端部よりも低い位置となるように、前記呼気整流体が配置されていることを特徴とする。
【０００９】
更に他の形態の一つは、前記呼気整流体が、中央のチューブの周囲に、複数のチューブを配置した構造であって、前記中央のチューブに、前記呼気導入チューブを貫通させることを特徴とする。
【００１０】
更に他の形態の一つは、前記ボトル本体の筒口に着脱可能に取り付けられるキャップ、を備えたことを特徴とする。本発明の前記及び他の目的、特徴、利点は、以下の詳細な説明及び添付図面から明瞭になろう。
【発明の効果】
【００１１】
本発明の呼気浄化器によれば、上方が開口した筒口を有するボトル本体と、該ボトル本体の内部に収容される消毒液と、前記ボトル本体の内面に沿って設けられており、前記消毒液を吸収する消毒液吸収体と、前記筒口の内側に設けられており、消毒前後の呼気が通過する中空の複数のチューブからなる呼気整流体と、該呼気整流体のいずれかのチューブを貫通し、呼気をボトル本体に送り込む呼気導入チューブと、該呼気導入チューブが貫通するとともに、前記ボトル本体の筒口を塞ぐ微細孔を有するスポンジ体と、を備えることとした。
【００１２】
この構成により、呼気導入チューブによってボトル本体に導入された呼気が、当該ボトル本体の内面に沿って設けられた消毒液吸収体に広い面積で接触することで浄化（殺菌、滅菌、除菌等）され、浄化済みの呼気が、呼気導入チューブが貫通していない他のチューブ及びスポンジ体を介して外部に放出される。このため、簡単な構成で、呼気を浄化してから外部に放出する安価な呼気浄化器を提供することができ、保菌者又はその可能性がある者が使用することで、周囲の人々が感染するのを防止することができる。
【図面の簡単な説明】
【００１３】
【図１】本発明の呼気浄化器の一実施形態の使用状態を示す外観斜視図である。
【図２】前記実施形態の呼気浄化器のボトル本体の構成を示す外観斜視図である。
【図３】前記実施形態の呼気浄化器のボトル本体を上方から見た外観斜視図である。
【図４】前記実施形態の呼気浄化器の呼気導入チューブの構成を示す外観斜視図である。
【図５】前記実施形態の呼気浄化器の製造手順の一例を示す図である。
【図６】前記実施形態の呼気浄化器の製造手順の一例を示す図である。
【図７】前記実施形態の呼気浄化器を持ち運ぶ時の様子を示す図である。
【発明を実施するための形態】
【００１４】
本発明の呼気浄化器は、上方が開口した筒口を有するボトル本体と、該ボトル本体の内部に収容される消毒液と、前記ボトル本体の内面に沿って設けられており、前記消毒液を吸収する消毒液吸収体と、前記筒口の内側に設けられており、消毒前後の呼気が通過する中空の複数のチューブからなる呼気整流体と、該呼気整流体のいずれかのチューブを貫通し、呼気をボトル本体に送り込む呼気導入チューブと、該呼気導入チューブが貫通するとともに、前記ボトル本体の筒口を塞ぐ微細孔を有するスポンジ体と、を備える。
【００１５】
この構成により、呼気導入チューブによってボトル本体に導入された呼気が、当該ボトル本体の内面に沿って設けられた消毒液吸収体に広い面積で接触することで浄化（殺菌、滅菌、除菌等）され、浄化済みの呼気が、呼気導入チューブが貫通していない他のチューブ及びスポンジ体を介して外部に放出される。このため、安価かつ簡単な構成で、呼気を浄化してから外部に放出することができ、保菌者又はその可能性がある者が使用することで、周囲の人々が感染するのを防止することができるものである。
【００１６】
以下、本発明を実施するための最良の形態を、図１〜図７に基づいて詳細に説明する。図１は、本発明の呼気浄化器の一実施形態の使用状態を示す外観斜視図である。図２は、前記呼気浄化器のボトル本体の構成を示す外観斜視図、図３は、前記呼気浄化器のボトル本体を上方から見た外観斜視図、図４は、前記呼気浄化器の呼気導入チューブの構成を示す外観斜視図である。図５及び図６は、前記呼気浄化器の製造手順の一例を示す図である。図７は、前記呼気浄化器を持ち運ぶ時の様子を示す図である。
【００１７】
図１〜図４、図７に示すように、本実施形態の呼気浄化器１０は、ボトル本体１２と、消毒液５０と、消毒液吸収体３２Ａ〜３２Ｃと、呼気整流体３０と、呼気導入チューブ４０と、スポンジ体４４と、キャップ７０により構成されている。
【００１８】
ボトル本体１２は、略円筒状の筒部１４と、底面１６と、上端が開口した筒口２０と、前記筒部１４から前記筒口２０に向けて径が小さくなる傾斜部１８を有する。前記筒口２０の外周には、キャップ７０を着脱可能に取り付けるためのネジ部が形成されている。このようなボトル本体１２は、例えば、使用済みの飲料のペットボトルを使用することができる。ボトル本体１２の容量は、例えば、持ち運びの観点から、３５０ｍｌ〜５００ｍｌ程度のものが好ましい。
【００１９】
ボトル本体１２は、着色や模様が施されていてもよいが、内部に入れる消毒液５０の量が確認できるように、透明性のあるものが好ましい。また、消毒液５０は、呼気６２を消毒（殺菌、滅菌、除菌等の処理を含む）できるものであれば、公知の各種の液体の消毒液が利用可能である。
【００２０】
ボトル本体１２の筒口２０の内側には、図２及び図３に示すように、複数のチューブ３０Ａ〜３０Ｇからなる呼気整流体３０が設けられている。図示の例では、中央のチューブ３０Ｇの周囲に６つのチューブ３０Ａ〜３０Ｆが配置された構成となっている。中央のチューブ３０Ｇは、周囲のチューブ３０Ａ〜３０Ｆよりも若干径が大きく、また、下方に若干長く突出するように設定されている。
【００２１】
本実施形態では、中央のチューブ３０Ｇが、呼気６２の導入路であり、周囲のチューブ３０Ａ〜３０Ｆが、消毒後の呼気６４の排出路として機能する。
【００２２】
前記呼気整流体３０は、その上端が、図３に示すように、前記筒口２０の上端部２０Ａよりも若干低い位置となるように、筒口２０の内側に取り付けられる。これは、筒口２０から消毒液５０を内部に注ぐ時に、外側に溢れ出ないようにするためである。
【００２３】
次に、消毒液吸収体３２Ａ〜３２Ｃは、ボトル本体１２の内面に沿って設けられており、消毒液５０を吸収するものである。図示の例では、消毒液吸収体３２Ａは、ボトル本体１２の内周より若干短い長さであって、ボトル本体１２の筒部１４の高さの半分程度の高さに設定されている。消毒液吸収体３２Ａは、ボトル本体１２の内面に沿って広がる可撓性の芯材３６Ａを、消毒液５０を吸収する布地３４Ａで包み、縫製３８Ａによって閉じたものである。
【００２４】
消毒液吸収体３２Ｂ、３２Ｃは、図示の例では、ボトル本体１２の筒部１４の内周の約半分程度の長さであって、ボトル本体１２の筒部１４の高さの半分程度の高さに設定されている。そして、消毒液吸収体３２Ｂ、３２Ｃは、ボトル本体１２の内面に沿って広がる可撓性の芯材３６Ｂ、３６Ｃを、消毒液を吸収する布地３４Ｂ、３４Ｃで包み、縫製３８Ｂ、３８Ｃによって閉じたものである。
【００２５】
芯材３６Ａ〜３６Ｃは、例えば可撓性を有するプラスチックシートが利用され、細く丸めてボトル本体１２の内部に挿入した後に、内面に沿って広がるようになっている。そして、これら芯材３６Ａ〜３６Ｃを包む布地３４Ａ〜３４Ｃが消毒液５０を吸収することにより、消毒液５０を含んだ消毒液吸収体３２Ａ〜３２Ｃが、ボトル本体１２の筒部１４の内面のほぼ全体を覆うようになる。
【００２６】
次に、呼気導入チューブ４０は、図４に示すように、チューブ本体４２と、多数の微細孔４６を有するスポンジ体４４によって構成されている。スポンジ体４４は、チューブ本体４２を貫通させるための穴４５を有しており、前記スポンジ体４４は、チューブ本体４２に沿って移動可能となっている。
【００２７】
前記チューブ本体４２を、前記呼気整流体３０の中央のチューブ３０Ｇに貫通させ、図１に示すように、スポンジ体４４をスライドさせてボトル本体１２の筒口２０を塞ぐようにすると、消毒液５０の飛沫が筒口２０から出るのを防ぐことができる。なお、スポンジ体４４で筒口２０を塞いでも、チューブ３０Ａ〜３０Ｆを介して外部に排出される消毒済みの呼気６４は、スポンジ体４４の微細孔４６を介して通過することができる。
【００２８】
次に、図５及び図６を参照して、本実施形態の呼気浄化器１０の製造手順の一例を説明する。なお、あらかじめ、前記消毒液吸収体３２Ａ〜３２Ｃと、呼気整流体３０を製作しておくものとする。まず、図５(A)に示すように、消毒液吸収体３２Ａを丸めてボトル本体１２の筒口２０から内部に挿入する。挿入された消毒液吸収体３２Ａは、芯材３６Ａによって、ボトル本体１２の筒部１４の内面に沿うように広がる（図５(B)）。
【００２９】
次に、図５(B)に示すように、消毒液吸収体３２Ｂ、３２Ｃを、丸めてボトル本体１２の筒口２０から内部に挿入する。挿入された消毒液吸収体３２Ｂ、３２Ｃは、芯材３６Ｂ、３６Ｃによって、ボトル本体１２の筒部１４の内面に沿うように広がる（図５(C)）。
【００３０】
次に、呼気整流体３０を、図５(C)に示すように、ボトル本体１２の筒口２０の内側に取り付ける。このとき、呼気整流体３０の上端部が、筒口２０の上端２０Ａよりも若干下がるように固定する。
【００３１】
次に、図６(A)に示すように、筒口２２から消毒液５０を、ボトル本体１２に内部に注ぐ。消毒液５０は、例えば、筒部１４の高さの１／４〜１／２程度の高さまで注ぐ。すると、図６(B)に示すように、消毒液吸収体３２Ａ〜３２Ｃの布地３４Ａ〜３４Ｃが消毒液５０を吸収して吸い上げ、ボトル本体１２の筒部１４の内面のほぼ全面に消毒液５０が広がる。
【００３２】
その状態で、図６(B)に示すように、呼気導入チューブ４０のチューブ本体４２を、呼気整流体３０の中央のチューブ３０Ｇに貫通させ、スポンジ体４４を移動させて筒口２０を塞ぐようにする。その状態で、図１に示すように、使用者６０がチューブ本体４２をくわえて呼気６２をボトル本体１２に送り込むと、ボトル本体１２の筒部１４の内側のほぼ全面に広がるように設けられた消毒液吸収体３２Ａ〜３２Ｃに呼気６２が当たって消毒され、消毒済みの呼気６４が、呼気整流体３０のチューブ３０Ａ〜３０Ｆ及びスポンジ体４４の微細孔４６を介して外部に排出される。
【００３３】
このような呼気浄化器１０は、携帯するときには、図７に示すように、呼気導入チューブ４０を抜き取り、筒口２０をキャップ７０で塞ぐことにより、内部の消毒液５０をこぼさずに持ち運びすることができる。
【００３４】
以上説明したように、本実施形態によれば、上方が開口した筒口２０を有するボトル本体１２と、該ボトル本体１２の内部に収容される消毒液５０と、前記ボトル本体１２の内面に沿って設けられており、前記消毒液５０を吸収する消毒液吸収体３２Ａ〜３２Ｃと、前記筒口２０の内側に設けられており、消毒前後の呼気が通過する中空の複数のチューブ３０Ａ〜３０Ｇからなる呼気整流体３０と、該呼気整流体３０の中央のチューブ３０Ｇを貫通し、呼気６２をボトル本体１２に送り込む呼気導入チューブ４０と、該呼気導入チューブ４０が貫通するとともに、前記ボトル本体１２の筒口２０を塞ぐ微細孔４６を有するスポンジ体４４と、を備える構成とした。
【００３５】
この構成により、呼気導入チューブ４０によってボトル本体１２に導入された呼気６２が、当該ボトル本体１２の筒部１４の内面に沿って設けられた消毒液吸収体３２Ａ〜３２Ｃに広い面積で接触することで浄化（殺菌、滅菌、除菌等）され、浄化済みの呼気６４が、呼気導入チューブ４０が貫通していない他のチューブ３０Ａ〜３０Ｆ及びスポンジ体４４の微細孔４６を介して外部に放出される。このため、簡単な構成で、呼気６２を浄化してから外部に放出する安価な呼気浄化器１０を提供することができ、保菌者又はその可能性がある者が使用することで、周囲の人々が感染するのを防止することができる。
【００３６】
なお、本発明は、上述した実施形態に限定されるものではなく、本発明の要旨を逸脱しない範囲内において種々変更を加え得ることができる。例えば、以下のものも含まれる。
(1)前記実施形態で示したボトル本体１２の形状や容量は一例であり、同様の効果を奏する範囲内で適宜変更してよい。
(2)前記実施形態では、３つの消毒液吸収体３２Ａ〜３２Ｃを用いることとしたが、これも一例であり、同様の効果を奏する範囲内で、消毒液吸収体の数を増減してよい。
(3)前記実施形態で示した呼気整流体３０の構成も一例であり、同様の効果を奏する範囲内で適宜設計変更してよい。
【産業上の利用可能性】
【００３７】
本発明によれば、上方が開口した筒口を有するボトル本体と、該ボトル本体の内部に収容される消毒液と、前記ボトル本体の内面に沿って設けられており、前記消毒液を吸収する消毒液吸収体と、前記筒口の内側に設けられており、消毒前後の呼気が通過する中空の複数のチューブからなる呼気整流体と、該呼気整流体のいずれかのチューブを貫通し、呼気をボトル本体に送り込む呼気導入チューブと、該呼気導入チューブが貫通するとともに、前記ボトル本体の筒口を塞ぐ微細孔を有するスポンジ体と、を備えることとした。
【００３８】
この構成により、呼気導入チューブによってボトル本体に導入された呼気が、当該ボトル本体の内面に沿って設けられた消毒液吸収体に広い面積で接触することで浄化（殺菌、滅菌、除菌等）され、浄化済みの呼気が、呼気導入チューブが貫通していない他のチューブ及びスポンジ体を介して外部に放出される。このため、安価でかつ簡単な構成で、呼気を浄化してから外部に放出することができ、保菌者又はその可能性がある者が使用することで、感染症の予防をすることができるため、呼気浄化器の用途に適用できる。特に、密閉された空間に複数人が集まる場合に好適である。
【符号の説明】
【００３９】
１０：呼気浄化器
１２：ボトル本体
１４：筒部
１６：底部
１８：傾斜部
２０：筒口
２０Ａ：上端部
３０：呼気整流体
３０Ａ〜３０Ｇ：チューブ
３２Ａ〜３２Ｃ：消毒液吸収体
３４Ａ〜３４Ｃ：布地
３６Ａ〜３６Ｃ：芯材
３８Ａ〜３８Ｃ：縫製
４０：呼気導入チューブ
４２：チューブ本体
４４：スポンジ体
４５：穴
４６：微細孔
５０：消毒液
６０：使用者
６２：呼気
６４：消毒済みの呼気
７０：キャップ
【要約】
【課題】簡単な構成で、呼気を浄化してから外部に放出できる安価な呼気浄化器を提供する。
【解決手段】呼気浄化器１０は、上方が開口した筒口２０を有するボトル本体１２と、ボトル本体１２の内部に収容される消毒液５０と、ボトル本体１２の内面に沿って設けられており、消毒液５０を吸収する消毒液吸収体３２Ａ〜３２Ｃと、筒口２０の内側に設けられており、消毒前後の呼気が通過する中空の複数のチューブからなる呼気整流体と、呼気整流体の中央のチューブを貫通し、呼気６２をボトル本体１２に送り込む呼気導入チューブ４０と、呼気導入チューブ４０が貫通するとともに、ボトル本体１２の筒口２０を塞ぐ微細孔を有するスポンジ体４４とを備える。呼気導入チューブ４０からボトル本体１２に導入された呼気６２は、消毒液吸収体３２Ａ〜３２Ｃに当たって消毒され、消毒済みの呼気６４が外部に排出される。
【選択図】図１【図１】
0006765565.tif 000002
【図２】
0006765565.tif 000003
【図３】
0006765565.tif 000004
【図４】
0006765565.tif 000005
【図５】
0006765565.tif 000006
【図６】
0006765565.tif 000007
【図７】
0006765565.tif 000008